(57)【要約】【課題】画像読取装置で読み取らせた原稿の画像データを取得可能な情報処理装置において、意図する画像の向きの画像データを容易に得ることが可能な技術を提供する。【解決手段】情報処理装置から画像読取装置へ読取指示を送信すると、画像読取装置は原稿の画像の読み取りを開始し、まず初期読取ページの画像を示す初期画像データを情報処理装置へ送信する。情報処理装置は、初期画像データを受信した場合、その初期画像データが示す初期読取ページの画像を含む回転角設定画面６０を表示させる。回転角設定画面６０で回転角度が設定され、その設定された回転角度を示す回転角情報を画像読取装置へ送信されると、画像読取装置から、読み取った画像データに対して回転角情報が示す回転角度に基づく回転処理が行われた処理後画像データが送信される。【選択図】図４
2018006970.tif 000002
【特許請求の範囲】
【請求項１】
表示部と、
入力操作を受け付け可能な入力部と、
画像読取装置と通信可能な通信部と、
を備えた情報処理装置が有するコンピュータが読み取り可能な読取制御プログラムであって、
前記画像読取装置は、前記情報処理装置から読取指示を受信した場合、原稿の画像の読み取りを開始し、前記開始後、原稿の少なくとも１ページ目を含む初期読取ページの画像を読み取った場合、その読み取った初期読取ページの画像を示す初期画像データを生成し、前記初期画像データを前記情報処理装置へ送信するよう構成されており、
当該読取制御プログラムは、前記コンピュータに、
前記入力部により前記入力操作として画像の読み取りを指示する読取指示操作が受け付けられた場合、前記画像読取装置へ前記通信部を介して前記読取指示を送信させる第１送信処理と、
前記第１送信処理により前記読取指示が送信された後、前記画像読取装置から前記通信部を介して前記初期画像データを受信する初期受信処理と、
前記初期受信処理により受信された前記初期画像データが示す前記初期読取ページの画像を前記表示部に表示させる第１表示処理と、
前記初期読取ページの画像を前記表示部に表示させた状態で、前記画像読取装置で読み取られた原稿の画像の画像データに対する回転角度を設定させるための回転角設定画面を前記表示部に表示させる第２表示処理と、
前記回転角設定画面を前記表示部に表示させた状態で、前記入力部から前記入力操作として前記回転角度を設定するための回転角設定操作が受け付けられた場合、その設定された回転角度を示す回転角情報を前記画像読取装置へ前記通信部を介して送信させる第２送信処理と、
前記第２送信処理による前記回転角情報の送信後に前記画像読取装置から送信される処理後画像データであって、前記画像読取装置において、原稿の画像の読み取り終了後にその読み取った原稿の画像の画像データである読取画像データが示す画像をページ毎に前記回転角情報が示す前記回転角度分回転させる回転処理が行われた後の前記処理後画像データを、前記通信部を介して受信する処理後受信処理と、
を実行させるための読取制御プログラム。
【請求項２】
請求項１に記載の読取制御プログラムであって、
前記画像読取装置は、前記初期画像データを送信した場合、前記初期画像データの送信後、既定時間経過しても前記回転角情報を受信しなかった場合は、前記読取画像データを前記情報処理装置へ送信するように構成されており、
当該読取制御プログラムは、前記コンピュータに実行させる処理として、
前記第２送信処理の実行前に前記画像読取装置から前記読取画像データが送信された場合、その読取画像データを前記通信部を介して受信する経過後受信処理と、
前記経過後受信処理により前記読取画像データが受信された後、前記入力部により前記回転角設定操作が受け付けられた場合、前記読取画像データに対し、その読取画像データが示す画像をページ毎に前記回転角設定操作により設定された前記回転角度分、回転させる画像回転処理と、
を有する、読取制御プログラム。
【請求項３】
請求項１又は請求項２に記載の読取制御プログラムであって、
前記画像読取装置は、前記情報処理装置から前記読取指示を受信し、且つ前記情報処理装置から回転処理指示を受信した場合、前記初期画像データの送信を行い、前記回転処理指示を受信しなかった場合、前記初期画像データの送信を行わず原稿の画像の読み取り終了後に前記読取画像データを送信するように構成されており、
当該読取制御プログラムは、前記コンピュータに実行させる処理として、
前記第１送信処理の前に、前記回転角度の設定の要否を選択させるための選択画像を前記表示部に表示させる第３表示処理と、
前記選択画像に対する前記回転角度の設定を要求する前記入力操作である設定要求操作が前記入力部により受け付けられることなく前記読取指示操作が受け付けられた場合、前記画像読取装置から送信される前記読取画像データを前記通信部を介して受信する非設定時受信処理と、
を有し、
前記第１送信処理は、前記設定要求操作が受け付けられた場合、前記読取指示に加えて、前記回転処理指示を送信させるように構成されており、
前記初期受信処理、前記第１表示処理、前記第２表示処理、前記第２送信処理及び前記処理後受信処理は、前記設定要求操作が受け付けられなかった場合は実行されないように構成されている、
読取制御プログラム。
【請求項４】
請求項１〜請求項３の何れか１項に記載の読取制御プログラムであって、
前記第１送信処理の前に、原稿の画像の読取対象として原稿の片面及び両面の何れかを指定させるための読取面指定画像を前記表示部に表示させる第４表示処理、
を有し、
前記第１送信処理は、前記読取面指定画像を前記表示部に表示させた状態で、前記入力部から前記入力操作として受け付けられる、前記片面及び両面の何れかを指定する読取面指定操作に基づいて、その読取面指定操作により指定された前記読取対象を示す読取面情報を送信させるように構成されており、
前記画像読取装置は、前記情報処理装置から受信した前記読取面情報が片面を示している場合は、原稿の片面の画像を対象として画像の読み取りを行い、１枚目の原稿の片面を前記初期読取ページとしてその初期読取ページの前記初期画像データを前記情報処理装置へ送信し、前記情報処理装置から受信した前記読取面情報が両面を示している場合は、原稿の両面の画像を対象として画像の読み取りを行い、１枚目の原稿の両面それぞれの計２ページを前記初期読取ページとしてその初期読取ページの前記初期画像データを前記情報処理装置へ送信するように構成されており、
前記回転角設定画面は、前記初期読取ページが原稿の両面それぞれの計２ページである場合は、ページ毎に個別に前記回転角度を設定可能に構成されている、
読取制御プログラム。
【請求項５】
請求項１〜請求項４の何れか１項に記載の読取制御プログラムであって、
前記回転角設定画面は、個々に異なる回転角度が対応付けられた複数の角度選択用画像を含み、
前記第２送信処理は、前記入力部により前記回転角設定操作として前記複数の角度選択用画像のうちいずれか１つを選択する操作が受け付けられた場合に、その選択された角度選択用画像に対応付けられた前記回転角度を示す前記回転角情報を送信させるように構成されている
読取制御プログラム。
【請求項６】
表示部と、
入力操作を受け付け可能な入力部と、
画像読取装置と通信可能な通信部と、
制御部と、
を備えた情報処理装置であって、
前記画像読取装置は、前記情報処理装置から読取指示を受信した場合、原稿の画像の読み取りを開始し、前記開始後、原稿の少なくとも１ページ目を含む初期読取ページの画像を読み取った場合、読み取った初期読取ページの画像を示す初期画像データを生成し、前記初期画像データを前記情報処理装置へ送信するよう構成されており、
前記制御部は、
前記入力部により前記入力操作として画像の読み取りを指示する読取指示操作が受け付けられた場合、前記画像読取装置へ前記通信部を介して前記読取指示を送信させる第１送信処理と、
前記第１送信処理により前記読取指示が送信された後、前記画像読取装置から前記通信部を介して前記初期画像データを受信する初期受信処理と、
前記初期受信処理により受信された前記初期画像データが示す前記初期読取ページの画像を前記表示部に表示させる第１表示処理と、
前記初期読取ページの画像を前記表示部に表示させた状態で、前記画像読取装置で読み取られた原稿の画像の画像データに対する回転角度を設定させるための回転角設定画面を前記表示部に表示させる第２表示処理と、
前記回転角設定画面を前記表示部に表示させた状態で、前記入力部から前記入力操作として前記回転角度を設定するための回転角設定操作が受け付けられた場合、その設定された回転角度を示す回転角情報を前記画像読取装置へ前記通信部を介して送信させる第２送信処理と、
前記第２送信処理による前記回転角情報の送信後に前記画像読取装置から送信される処理後画像データであって、前記画像読取装置において、原稿の画像の読み取り終了後にその読み取った原稿の画像の画像データである読取画像データが示す画像をページ毎に前記回転角情報が示す前記回転角度分回転させる回転処理が行われた後の前記処理後画像データを、前記通信部を介して受信する処理後受信処理と、
を実行する、情報処理装置。
【請求項７】
画像読取装置と、
情報処理装置と、
を備える画像読取システムであって、
前記画像読取装置は、
原稿の画像を読み取る画像読取部と、
情報処理装置と通信可能な第１通信部と、
第１制御部と、
を備え、
前記第１制御部は、
前記情報処理装置から前記第１通信部を介して読取指示を受信した場合、前記画像読取部に原稿の画像の読み取りを実行させる読取処理と、
前記読取処理の開始後、原稿の少なくとも１ページ目を含む初期読取ページの画像を示す初期画像データを前記第１通信部を介して前記情報処理装置へ送信させる初期送信処理と、
前記初期送信処理の実行後、前記情報処理装置から前記第１通信部を介して画像の回転角度を示す回転角情報を受信した場合、前記読取処理の終了後に、その読取処理により読み取られた画像の画像データが示す画像をページ毎に前記回転角情報が示す前記回転角度分回転させる回転処理と、
前記回転処理後の画像データである処理後画像データを前記第１通信部を介して前記情報処理装置へ送信させる処理後送信処理と、
を実行し、
前記情報処理装置は、
表示部と、
入力操作を受け付け可能な入力部と、
画像読取装置と通信可能な第２通信部と、
第２制御部と、
を備え、
前記第２制御部は、
前記入力部により前記入力操作として画像の読み取りを指示する読取指示操作が受け付けられた場合、前記画像読取装置へ前記第２通信部を介して前記読取指示を送信させる第１送信処理と、
前記第１送信処理により前記読取指示が送信された後、前記画像読取装置から前記第２通信部を介して前記初期画像データを受信する初期受信処理と、
前記初期受信処理により受信された前記初期画像データが示す前記初期読取ページの画像を前記表示部に表示させる第１表示処理と、
前記初期読取ページの画像を前記表示部に表示させた状態で、前記回転角度を設定させるための回転角設定画面を前記表示部に表示させる第２表示処理と、
前記回転角設定画面を前記表示部に表示させた状態で、前記入力部から前記入力操作として前記回転角度を設定するための回転角設定操作が受け付けられた場合、その設定された回転角度を示す回転角情報を前記画像読取装置へ前記第２通信部を介して送信させる第２送信処理と、
前記第２送信処理により送信された前記回転角情報に基づく前記回転処理後の前記処理後画像データを前記画像読取装置から前記第２通信部を介して受信する処理後受信処理と、
を実行する、画像読取システム。
【発明の詳細な説明】
【技術分野】
【０００１】
本開示は、情報処理装置から画像読取装置を制御する技術に関する。
【背景技術】
【０００２】
特許文献１には、スキャナ装置に原稿がセットされた後、ホストコンピュータ側でユーザにより原稿方向が設定されると、ホストコンピュータが、スキャナ装置からから入力されたイメージ情報に対してその設定された原稿方向に基づく回転処理を行う技術が記載されている。
【先行技術文献】
【特許文献】
【０００３】
【特許文献１】特開平１１−３３１５４６号公報
【発明の概要】
【発明が解決しようとする課題】
【０００４】
特許文献１に記載の技術によれば、スキャナ装置で読み取られた画像が、設定された原稿方向に基づいて回転させるため、意図した出力結果を得ることが可能である。しかし、スキャナ装置に原稿をセットしたときにそのセットした原稿の原稿方向をおぼえておく必要があるため、ユーザにとって使い勝手が良いとは言い難い。
【０００５】
本開示は、画像読取装置に原稿の画像を読み取らせてその読み取らせた画像の画像データを取得可能な情報処理装置において、意図する画像の向きの画像データを容易に得ることが可能な技術を提供する。
【課題を解決するための手段】
【０００６】
本開示の読取制御プログラムは、表示部と、入力操作を受け付け可能な入力部と、画像読取装置と通信可能な通信部と、を備えた情報処理装置が有するコンピュータが読み取り可能な読取制御プログラムである。
【０００７】
画像読取装置は、情報処理装置から読取指示を受信した場合、原稿の画像の読み取りを開始し、その読み取り開始後、原稿の少なくとも１ページ目を含む初期読取ページの画像を読み取った場合、その読み取った初期読取ページの画像を示す初期画像データを生成し、その初期画像データを情報処理装置へ送信するよう構成されている。
【０００８】
当該読取制御プログラムは、前記コンピュータに実行させる処理として、第１送信処理と、初期受信処理と、第１表示処理と、第２表示処理と、第２送信処理と、処理後受信処理とを有する。
【０００９】
第１送信処理は、入力部により入力操作として画像の読み取りを指示する読取指示操作が受け付けられた場合、画像読取装置へ通信部を介して読取指示を送信させる処理である。初期受信処理は、第１送信処理により読取指示が送信された後、画像読取装置から通信部を介して初期画像データを受信する処理である。第１表示処理は、初期受信処理により受信された初期画像データが示す初期読取ページの画像を表示部に表示させる処理である。第２表示処理は、初期読取ページの画像を表示部に表示させた状態で、画像読取装置で読み取られた原稿の画像の画像データに対する回転角度を設定させるための回転角設定画面を表示部に表示させる処理である。第２送信処理は、回転角設定画面を表示部に表示させた状態で、入力部から入力操作として回転角度を設定するための回転角設定操作が受け付けられた場合、その設定された回転角度を示す回転角情報を画像読取装置へ通信部を介して送信させる処理である。処理後受信処理は、第２送信処理による回転角情報の送信後に画像読取装置から送信される処理後画像データを通信部を介して受信する処理である。処理後画像データは、画像読取装置において、原稿の画像の読み取り終了後にその読み取った原稿の画像の画像データである読取画像データが示す画像をページ毎に回転角情報が示す回転角度分回転させる回転処理が行われた後の画像データである。
【００１０】
このような構成によれば、情報処理装置において、読取指示の送信後、原稿の全読み取り対象の画像データが受信される前に、まず初期読取ページが表示され、これによりユーザは画像読取装置で生成される画像データの画像の向きを確かめることができる。ユーザは、初期読取ページの画像の向きに応じて、意図する向きの画像が得られるように回転角度を指定することができる。回転角度を指定すると、画像読取装置から、その指定した回転角度分、回転された画像の画像データである処理後画像データが受信される。
【００１１】
したがって、上記構成の読取制御プログラムを情報処理装置に実行させることで、初期読取ページの画像を直接確認してその画像の向きに応じて回転角度を指定でき、これにより意図する向きの画像の画像データを容易に得ることが可能となる。
【図面の簡単な説明】
【００１２】
【図１】実施形態の画像読取システムの構成を示すブロック図である。
【図２】スキャン設定画面を示す説明図である。
【図３】画像読取装置で行われるスキャン及び回転処理の概要を説明するための説明図である。
【図４】両面設定オフ時の回転角設定画面の一例を示す説明図である。
【図５】両面設定オン時の回転角設定画面の一例を示す説明図である。
【図６】読取制御処理のフローチャートである。
【図７】画像読取処理のフローチャートである。
【図８】回転各設定画面の他の例を示す説明図である。
【発明を実施するための形態】
【００１３】
以下、本開示の実施形態について、図面を参照しながら説明する。
［１．実施形態］
（１−１）画像読取システム全体の概要
図１に示すように、本実施形態の画像読取システム１は、情報処理装置１０と、画像読取装置２０とを備える。情報処理装置１０と画像読取装置２０は、相互にデータ通信可能に構成されている。本実施形態では、一例として、情報処理装置１０と画像読取装置２０とがＬＡＮ１５０によって接続され、ＬＡＮ１５０を通じて相互にデータ通信可能である。
【００１４】
なお、情報処理装置１０と画像読取装置２０とのデータ通信がＬＡＮ１５０を通じて行われることは一例であり、他の通信媒体を介して或いは他の通信方式にてデータ通信可能であってもよい。例えば、無線ＬＡＮ、Ｂｌｕｅｔｏｏｔｈなどの無線通信を用いてデータ通信可能であってもよい。なお、Ｂｌｕｅｔｏｏｔｈは登録商標である。また例えば、ＵＳＢケーブルを通じてＵＳＢ規格のデータ通信が可能な構成であってもよい。
【００１５】
画像読取装置２０は、原稿の画像を読み取り、読み取った画像の画像データを生成するスキャン機能を有する。なお、本実施形態の画像読取装置２０は、スキャン機能の他に、記録用紙に画像を印刷する印刷機能を少なくとも含む複数の機能を備えた、いわゆる複合機として構成されている。ただし、画像読取装置２０は、スキャン機能のみ有する単一機能の装置であってもよいし、スキャン機能以外の他の機能を少なくとも１つ有する複合機であってもよい。
【００１６】
情報処理装置１０は、プルスキャン機能を備える。プルスキャン機能は、画像読取装置２０に原稿をセットした状態で、情報処理装置１０から画像読取装置２０へスキャン指示を送信することで、画像読取装置２０に原稿のスキャンを実行させ、スキャンにより生成された画像データをデータ通信にて画像読取装置２０から取得する機能である。情報処理装置１０の具体的態様としては、例えば、パーソナルコンピュータ、タブレット端末、スマートフォンなどがある。もちろんこれらはあくまでも一例にすぎない。
【００１７】
（１−２）情報処理装置の構成
情報処理装置１０は、制御部１１と、記憶部１２と、入力部１３と、表示部１４と、通信部１５とを備え、これらがバス１９を介して相互に接続されている。本実施形態では、制御部１１はＣＰＵを有する。記憶部１２は、例えばＲＯＭ、ＲＡＭ、ＮＶＲＡＭ、フラッシュメモリなどの半導体メモリを有する。即ち、情報処理装置１０は、ＣＰＵ及び半導体メモリを含むマイクロコンピュータを備えている。記憶部１２は、ハードディスクドライブ、光ディスクなどの、半導体メモリ以外の他の記憶媒体を有していてもよい。
【００１８】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１９】
本実施形態の情報処理装置１０は、記憶部１２に、プログラムとして少なくともＯＳ（オペレーティングシステムの略称）１６及び読取制御プログラム１７が記憶されている。前述のプルスキャン機能は制御部１１が読取制御プログラム１７を実行することで実現される。
【００２０】
入力部１３は、各種入力操作を受け付けるための各種の入力用デバイスを有する。本実施形態の入力部１３は、例えば、キーボード、マウス、及びタッチパネルを有する。表示部１４は、例えば液晶ディスプレイや有機ＥＬディスプレイなどの各種の表示デバイスの少なくとも１つを有する。前述のタッチパネルは、表示デバイスにおける画像表示領域に重畳配置される。
【００２１】
通信部１５は、情報処理装置１０をＬＡＮ１５０に接続するための通信インタフェースである。情報処理装置１０と画像読取装置２０との各種データ通信は、情報処理装置１０においてはこの通信部１５を介して行われる。
【００２２】
（１−３）画像読取装置の構成
画像読取装置２０は、制御部２１、記憶部２２、入力部２３、表示部２４、通信部２５、画像読取部２６、及び印刷部２７を備え、これらがバス２９を介して相互に接続されている。本実施形態では、制御部２１はＣＰＵを有する。記憶部２２は、例えばＲＯＭ、ＲＡＭ、ＮＶＲＡＭ、フラッシュメモリなどの半導体メモリを有する。即ち、画像読取装置２０は、ＣＰＵ及び半導体メモリを含むマイクロコンピュータを備えている。
【００２３】
制御部２１は、非遷移的実体的記録媒体に格納されたプログラムを実行することにより各種機能を実現する。本実施形態では、記憶部２２が、プログラムを格納した非遷移的実体的記録媒体に該当する。なお、制御部２１により実現される各種機能は、プログラムの実行によって実現することに限るものではなく、その一部又は全部について、一つあるいは複数のハードウェアを用いて実現してもよい。
【００２４】
画像読取装置２０の記憶部２２には、スキャン機能を実現するためのスキャンプログラムを含むファームウェアが記憶されている。
入力部２３は、各種入力操作を受け付けるための入力用デバイスを有する。本実施形態の入力部２３は、例えば、操作ボタンやタッチパネルなどを有する。表示部２４は、例えば液晶ディスプレイや有機ＥＬディスプレイなどの各種の表示デバイスの少なくとも１つを有する。入力部２３が有するタッチパネルは、表示部２４の表示デバイスにおける画像表示領域に重畳配置される。
【００２５】
通信部２５は、画像読取装置２０をＬＡＮ１５０に接続するための通信インタフェースである。情報処理装置１０と画像読取装置２０との各種データ通信は、画像読取装置２０においてはこの通信部２５を介して行われる。
【００２６】
画像読取部２６は、イメージセンサを備え、原稿の画像を読み取り、読み取った画像の画像データを生成する。画像読取部２６は、１枚の原稿に対して片面の画像のみスキャンする片面スキャン、及び両面の画像を個別にスキャンする両面スキャンを実行可能に構成されている。
【００２７】
画像読取部２６は、自動原稿送り装置を有する。なお、自動原稿送り装置のことを、以下、「ＡＤＦ」と称する。「ＡＤＦ」は、Automatic Document Feederの略称である。ＡＤＦを利用することで、複数枚の原稿を連続的に読み取らせることができる。ＡＤＦを用いた複数枚の原稿の連続的読み取りにおいても、片面スキャン及び両面スキャンのいずれも可能である。
【００２８】
印刷部２７は、インクジェット方式や電子写真方式の印刷機構を有し、シート状の記録用紙に画像を印刷することが可能である。
（１−４）情報処理装置１０によるプルスキャン機能の説明
情報処理装置１０において、プルスキャン機能を実行させるための特定の入力操作が行われると、読取制御プログラム１７が実行され、表示部１４に、図２に例示するスキャン設定画面５０が表示される。
【００２９】
スキャン設定画面５０は、画像読取装置２０にスキャンを実行させるために必要な各種設定項目の設定値を設定したり、画像読取装置２０から受信された画像データを情報処理装置１０で処理するために必要な各種設定項目の設定値を設定したりするための画面である。
【００３０】
スキャン設定画面５０に表示される各種画像には、ファイル形式選択画像５１、解像度選択画像５２、カラー設定選択画像５３、原稿サイズ選択画像５４、及び読取面指定画像５５が含まれる。
【００３１】
ファイル形式選択画像５１は、画像読取装置２０から受信した画像データをどのようなファイル形式のファイルに変換するかを設定するための画像である。解像度選択画像５２は、画像読取装置２０における原稿スキャン時の解像度を設定するための画像である。カラー設定選択画像５３は、画像読取装置２０における原稿スキャン時のカラー設定を行うための画像である。原稿サイズ選択画像５４は、読み取り対象の原稿のサイズを設定するための画像である。ファイル形式選択画像５１、解像度選択画像５２、カラー設定選択画像５３、及び原稿サイズ選択画像５４は、いずれも、本実施形態ではプルダウン型選択メニューとして構成されており、複数種類の設定値の中から何れか１つを選択可能となっている。
【００３２】
読取面指定画像５５は、１枚の原稿に対する読み取り対象として、片面のみ及び両面の何れかを指定するための読取面指定操作を受け付けるための画像である。読取面指定画像５５は、本実施形態ではチェックボックスを有している。入力部１３を介してこのチェックボックスをチェックする読取面指定操作を行うことで、両面設定をオン、即ち原稿の両面を読み取り対象に指定することができる。逆に、チェックボックスのチェックを外す読取面指定操作を行うことで、両面設定をオフ、即ち原稿の片面を読み取り対象に指定することができる。
【００３３】
また、スキャン設定画面５０に表示される各種画像には、回転設定選択画像５６が含まれる。回転設定選択画像５６は、回転角度の設定の要否を選択させるための画像である。回転角度とは、画像読取装置２０に対して指定するものであって、画像読取装置２０において画像読み取りの終了後に読み取られた画像の画像データである読取画像データに対して後述の回転処理を実行させる際の指定角度である。
【００３４】
回転設定選択画像５６は、本実施形態ではチェックボックスを有している。入力部を介してこのチェックボックスをチェックする設定要求操作を行うことで、回転設定をオン、即ち回転角度の設定を要求することを選択できる。逆に、チェックボックスのチェックを外すことで、回転設定をオフ、即ち回転角度の設定を行わないことを選択できる。
【００３５】
また、スキャン設定画面５０に表示される各種画像には、画像の読み取りを指示するためのスキャンボタン５７が含まれる。スキャンボタン５７がオン操作されると、画像読取装置２０へスキャン指示及びスキャン設定情報が送信される。なお、「オン操作」の具体的態様は種々考えられ、例えば、マウスを用いたスキャンボタン５７のクリック操作、タッチパネルを介したタップ操作などがある。
【００３６】
スキャンボタン５７のオン操作によって画像読取装置２０へ送信されるスキャン設定情報は、スキャン設定画面５０において設定されている各種設定項目の設定値のうち、画像読取装置２０のスキャン機能実行に必要な設定値を示す情報である。
【００３７】
画像読取装置２０に送信されるスキャン設定情報には、解像度選択画像５２において選択されている解像度を示す解像度情報、カラー設定選択画像５３において選択されているカラー設定を示すカラー設定情報、原稿サイズ選択画像５４において選択されている原稿サイズを示す原稿サイズ情報、読取面指定画像５５において原稿の読み取り対象が片面及び両面のどちらに設定されているか、即ち両面設定がオン、オフいずれに設定されているかを示す両面設定情報、回転設定選択画像５６において回転設定がオン、オフいずれに設定されているかを示す回転設定情報、などがある。
【００３８】
（１−５）回転処理の説明
画像読取装置２０でスキャンが実行されることにより生成される画像データにおける、画像の向きは、画像読取装置２０に対する原稿のセット方向、原稿内における画像の向き、画像読取装置２０における原稿の読み取り方向や読み取った画像の処理方法などによって異なる。
【００３９】
例えば、図３（ａ）に例示するように、片面に画像が記録された原稿３０の画像を、画像読取装置２０の原稿台２８にセットしてスキャンさせるケースを想定する。この場合、ユーザが例えば、図３（ａ）に示すように、原稿台２８に対して原稿３０を横向きに且つ画像が記録されている面を原稿台２８に対し下向きにセットしたとする。そして、このように原稿３０をセットしてスキャンを実行させた結果、そのスキャンにより生成された画像データが示す画像であるスキャン画像が、図３（ａ）に示すような横向きのスキャン画像４０であったとする。
【００４０】
この場合、もし、ユーザが、本来はこのスキャン画像４０を右９０度回転させた状態の縦向きの画像が生成されることを望んでいたとすると、このスキャン画像４０は、ユーザの意図した画像とは異なる向きの画像ということになる。
【００４１】
そこで本実施形態の画像読取装置２０は、原稿のスキャン開始後、原稿の初期読取ページの画像をスキャンしたら、その初期読取ページのスキャン結果の画像データである初期画像データを情報処理装置１０へ送信する。本実施形態では、初期読取ページは、両面設定がオフにされている場合は原稿の１枚目の片面１ページであり、両面設定がオンにされている場合は原稿１枚目の両面計２ページである。
【００４２】
画像読取装置２０から情報処理装置１０へ初期画像データが送信されると、情報処理装置１０の表示部１４には、図４に例示する回転角設定画面６０が表示される。回転角設定画面６０は、スキャン終了後の全読み取りページの画像データである読取画像データに対して各ページの画像の回転角度を設定させるための画面である。回転角設定画面６０には、初期読取ページのスキャン結果、即ち初期画像データが示す初期スキャン画像６１が表示される。ユーザは、この初期スキャン画像６１を見ることで、スキャン結果の実際の向きを確認することができる。
【００４３】
また、回転角設定画面６０には、スキャン結果の実際の向きがユーザの意図する向きに対してどのような向きであるかを選択させるため、スキャン結果に対する回転処理の要否や回転処理させたい場合における回転角度を選択させるための、複数の選択画像７１〜７４が表示される。各選択画像７１〜７４にはそれぞれラジオボタンが含まれており、何れかのラジオボタンを選択することで、そのラジオボタンを含む選択画像を選択することができる。図４は、第２選択画像７２のラジオボタンが選択されたことにより第２選択画像７２が選択されている状態を例示している。何れかの選択画像を選択してＯＫボタン６２をオン操作するという回転角設定操作を行うことで、画像読取装置２０へ回転角度を送信させ、その回転角度に基づく回転処理を実行させることができる。
【００４４】
第１選択画像７１は、スキャン結果の実際の向きがユーザの意図する向きであって回転処理させる必要がないことを示す選択画像である。この第１選択画像７１を選択してＯＫボタン６２をオン操作すると、回転角度が０度であることを示す回転角情報が画像読取装置２０へ送信される。この回転角情報を画像読取装置２０が受信すると、画像読取装置２０は、スキャン終了後の読取画像データに対して、各ページの画像を０度回転させる回転処理、即ち実質的には画像を回転させない処理を行う。そして、その回転処理後の画像データ、即ちスキャン直後の向きのままの画像データを、処理後画像データとして、情報処理装置１０へ送信する。よって、第１選択画像７１を選択することで、回転角設定画面６０においてスキャン結果として表示されている初期スキャン画像６１の向きと同じ向きの画像データを得ることができる。
【００４５】
第２選択画像７２は、スキャン結果の実際の向きがユーザの意図に反して反転しており、よって１８０度回転させたい状態になっていることを示す選択画像である。この第２選択画像７２を選択してＯＫボタン６２をオン操作すると、回転角度が１８０度であることを示す回転角情報が画像読取装置２０へ送信される。この回転角情報を画像読取装置２０が受信すると、画像読取装置２０は、スキャン終了後の読取画像データに対して各ページの画像を１８０度回転させる回転処理を行い、その回転処理後の画像データを処理後画像データとして情報処理装置１０へ送信する。よって、第２選択画像７２を選択することで、スキャンにより生成された読取画像データの各画像が１８０度回転された処理後画像データを得ることができる。
【００４６】
他の各選択画像７３、７４も、第２選択画像７２と同様の機能を有する。即ち、第３選択画像７３を選択してＯＫボタン６２をオン操作することで、スキャンにより生成された読取画像データに対して画像が右９０度回転された処理後画像データを得ることができる。また、第４選択画像７４を選択してＯＫボタン６２をオン操作することで、スキャンにより生成された読取画像データに対して画像が左９０度回転された処理後画像データを得ることができる。
【００４７】
したがって、図３（ａ）に例示したようにスキャン画像４０がユーザの意図に反して左９０度回転した状態となっている場合は、図４に示す回転角設定画面６０において第３選択画像７３を選択することで、スキャンにより生成された読取画像データの各ページの画像が右９０度回転された処理後画像４１を得ることができる。
【００４８】
複数枚の原稿を連続してスキャンさせたい場合は、図３（ｂ）に例示するように、ＡＤＦを用いて行うことができる。図３（ｂ）に示すように、画像読取装置２０は、原稿台カバー３１を備えている。原稿台カバー３１には、ＡＤＦが内蔵されている。また、原稿台カバー３１には、ＡＤＦを用いてスキャンさせる原稿をセットするためのＡＤＦ原稿トレイ３２が設けられている。
【００４９】
原稿台カバー３１は、原稿台２８を覆うように設けられ、一端辺を軸に手動で回動させることにより原稿台２８に対して開閉可能に構成されている。原稿台カバー３１を開くと、原稿台２８が露出して、原稿台２８に原稿をセットできる。図３（ｂ）は、原稿台カバー３１が閉じられた状態を示しており、この状態で、ＡＤＦ原稿トレイ３２に原稿をセットすることで、ＡＤＦを用いて複数の原稿を連続的にスキャンさせ、その複数の原稿の画像を示す１つの読取画像データを生成することができる。なお、原稿１枚であってもＡＤＦを用いてスキャンさせることができる。また、原稿の両面の画像を読み取らせる両面スキャンは、原稿を原稿台２８にセットして行うことができ、且つＡＤＦを利用して行うこともできる。
【００５０】
ここで、図３（ｂ）に例示するように、両面に画像が記録された原稿３８をＡＤＦ原稿トレイ３２にセットして両面スキャンさせるケースを想定する。この場合、ユーザが例えば、図３（ｂ）に示すように、ＡＤＦ原稿トレイ３２に対して原稿３８を横向きに且つ原稿の表側である１ページ目が上方に向くようにセットしたとする。そして、このように原稿３８をセットして両面スキャンを実行させた結果、その両面スキャンにより生成されたスキャン画像が、図３（ｂ）に示すような縦向きのスキャン画像４２であったとする。
【００５１】
この両面スキャンの場合も、原稿のスキャン開始後、原稿の初期読取ページの画像をスキャンしたら、その初期読取ページのスキャン結果の画像データである初期画像データを情報処理装置１０へ送信する。両面スキャンの場合の初期読取ページは、前述の通り、原稿１枚目の両面計２ページである。
【００５２】
画像読取装置２０から情報処理装置１０へ両面スキャンの初期画像データが送信されると、情報処理装置１０の表示部１４には、図５に例示する回転角設定画面８０が表示される。回転角設定画面８０は、スキャン終了後の全読み取りページの画像データである読取画像データに対して各ページの画像の回転角度を原稿の表裏別々に設定させるための画面である。
【００５３】
両面スキャンに対応した回転角設定画面８０に表示される初期スキャン画像８１は、１枚目原稿の表側の画像である１ページ目画像８１ａと、１枚目原稿の裏側の画像である２ページ目画像８１ｂとが表示される。ユーザは、この初期スキャン画像８１を見ることで、両面それぞれのスキャン結果の実際の向きを個別に確認することができる。
【００５４】
また、回転角設定画面８０には、スキャン結果の実際の向きがユーザの意図する向きに対してどのような向きであるかを選択させるため、ひいてはスキャン結果に対する回転処理の要否や回転処理させたい場合における回転角度を選択させるための、複数の選択画像９１〜９８が表示される。各選択画像９１〜９８にはそれぞれラジオボタンが含まれており、何れかのラジオボタンを選択することで、そのラジオボタンを含む選択画像を選択することができる。図５は、第２選択画像９２のラジオボタンが選択されたことにより第２選択画像９２が選択されている状態を例示している。
【００５５】
第１選択画像９１は、スキャン結果の実際の向きが両面ともにユーザの意図する向きであって回転処理させる必要がないことを示す選択画像である。この第１選択画像９１を選択してＯＫボタン８２をオン操作すると、両面ともに回転角度が０度であることを示す回転角情報が画像読取装置２０へ送信される。この回転角情報を画像読取装置２０が受信すると、画像読取装置２０は、スキャン終了後の読取画像データに対して、各ページの画像を０度回転させる回転処理、即ち実質的には画像を回転させない処理を行う。そして、その回転処理後の画像データ、即ちスキャン直後の向きのままの画像データを、処理後画像データとして、情報処理装置１０へ送信する。
【００５６】
第２選択画像９２は、原稿表面のスキャン結果はユーザの意図する向きであるものの原稿裏面のスキャン結果の向きがユーザの意図に反して反転しており、よって原稿裏面のスキャン結果を１８０度回転させたい状態になっていることを示す選択画像である。この第２選択画像９２を選択してＯＫボタン８２をオン操作すると、原稿表面の画像は回転角度が０度であって原稿裏面の回転角度が１８０度であることを示す回転角情報が画像読取装置２０へ送信される。この回転角情報を画像読取装置２０が受信すると、画像読取装置２０は、スキャン終了後の読取画像データに対し、原稿の裏面に該当するページに対して１８０度回転させる回転処理を行い、その回転処理後の画像データを処理後画像データとして情報処理装置１０へ送信する。
【００５７】
他の各選択画像９３〜９８も、第２選択画像９２と同様の機能を有する。即ち、第３選択画像９３を選択してＯＫボタン８２をオン操作することで、スキャンにより生成された読取画像データに対して原稿の表面に該当するページの画像が１８０度回転された処理後画像データを得ることができる。また、第４選択画像９４を選択してＯＫボタン８２をオン操作することで、スキャンにより生成された読取画像データに対して表裏両面の画像、即ち全ページの画像が１８０度回転された処理後画像データを得ることができる。また、第５選択画像９５を選択してＯＫボタン８２をオン操作することで、スキャンにより生成された読取画像データに対して表裏両面の画像、即ち全ページの画像が右９０度回転された処理後画像データを得ることができる。また、第６選択画像９６を選択してＯＫボタン８２をオン操作することで、スキャンにより生成された読取画像データに対して表面に該当するページの画像については右９０度回転され、裏面に該当するページの画像については左９０度回転された処理後画像データを得ることができる。また、第７選択画像９７を選択してＯＫボタン８２をオン操作することで、スキャンにより生成された読取画像データに対して表面に該当するページの画像については左９０度回転され、裏面に該当するページの画像については右９０度回転された処理後画像データを得ることができる。また、第８選択画像９８を選択してＯＫボタン８２をオン操作することで、スキャンにより生成された読取画像データに対して表裏両面の画像、即ち全ページの画像が左９０度回転された処理後画像データを得ることができる。
【００５８】
したがって、図３（ｂ）に例示したようにスキャン画像４２のうち原稿表面の画像である第１スキャン画像４２ａはユーザの意図する向きであるものの原稿裏面の画像である第２スキャン画像４２ｂがユーザの意図に反して１８０度回転した状態となっている場合は、図５に示す回転角設定画面８０において第２選択画像９２を選択することで、スキャンにより生成された読取画像データの各ページの画像のうち原稿裏面に該当するページの画像が１８０度回転された処理後画像４３を得ることができる。
【００５９】
（１−６）読取制御処理の説明
次に、情報処理装置１０の制御部１１が実行する読取制御処理について、図６のフローチャートを用いて説明する。情報処理装置１０の制御部１１は、プルスキャン機能を実行させるための特定の入力操作が行われた場合、読取制御プログラム１７を実行することにより読取制御処理を実行する。
【００６０】
情報処理装置１０の制御部１１は、図６の読取制御処理を開始すると、Ｓ１００で、スキャン設定受付処理を実行する。具体的に、図２のスキャン設定画面５０を表示部１４に表示させ、各種設定入力を受け付ける。スキャン設定画面５０のスキャンボタン５７がオン操作された場合、Ｓ１２０に進む。
【００６１】
Ｓ１２０では、画像読取装置２０へスキャン指示及びスキャン設定情報を送信させる。スキャン設定情報には、前述の通り、スキャン設定画面５０で設定された各種情報として、解像度情報、カラー設定情報、原稿サイズ情報、両面設定情報及び回転設定情報を含む複数の情報が含まれる。
【００６２】
Ｓ１３０では、回転設定がオンであるか否か判断する。回転設定がオフの場合はＳ２２０に進む。回転設定がオンの場合はＳ１４０に進む。
Ｓ１４０では、画像読取装置２０から初期画像データを受信したか否か判断する。初期画像データを受信するまでＳ１４０の判断を繰り返し、初期画像データを受信した場合、Ｓ１５０に進む。
【００６３】
Ｓ１５０では、初期画像データ受信処理を行う。例えば、画像読取装置２０から受信した初期画像データを記憶部１２に一時的に記憶させる。
Ｓ１６０では、受信した初期画像データの内容に基づき、図４及び図５に例示したような回転角設定画面を表示部１４に表示させる。両面設定がオフにされていて初期画像データが示す画像が１ページ分のみである場合は、図４に例示したような、原稿１枚目の片面の初期スキャン画像６１を含む回転角設定画面６０を表示させる。両面設定がオンにされていて初期画像データが示す画像が２ページ分である場合は、図５に例示したような、原稿１枚目の両面２ページの初期スキャン画像８１を含む回転角設定画面８０を表示させる。そして、回転角設定画面に対するユーザの入力操作を受け付ける。
【００６４】
Ｓ１７０では、回転角設定画面に表示されているＯＫボタンがオン操作されたか否か判断する。ＯＫボタンがオン操作されていない場合は、Ｓ１８０に進む。Ｓ１８０では、読取画像データ受信対応処理を実行する。読取画像データ受信対応処理は、回転角設定画面が表示されている状態で画像読取装置２０からの読取画像データの受信確認を行う処理である。本実施形態では、回転角設定画面のＯＫボタンがオン操作されるよりも先に、画像読取装置２０において原稿のスキャンが終了した場合は、画像読取装置２０で生成された読取画像データが、回転処理されることなく情報処理装置１０へ送信される。
【００６５】
Ｓ１８０において、画像読取装置２０から読取画像データが受信されていない場合は、Ｓ１７０に戻る。画像読取装置２０から読取画像データが受信された場合は、読取画像データを記憶部１２に記憶させて、Ｓ１７０に戻る。
【００６６】
Ｓ１７０で、回転角設定画面のＯＫボタンがオン操作された場合は、Ｓ１９０に進む。Ｓ１９０では、回転角設定画面で選択された回転角度を示す回転角情報を取得する。Ｓ２００では、画像読取装置２０からすでに読取画像データを受信済みであるか否か、即ちＳ１８０で読取画像データが受信されて記憶部１２に記憶されているか否か、を判断する。
【００６７】
読取画像データを既に受信している場合は、Ｓ２５０に進む。Ｓ２５０では、既に受信済みの読取画像データに対し、Ｓ１９０で取得した回転角情報に基づく回転処理を実行する。即ち、読取画像データが示す画像を、ページ毎に、回転角情報が示す回転角度分回転させる。両面設定がオンにされている場合は、原稿の表面及び裏面それぞれ個別に回転処理が行われる。そして、Ｓ２４０で、その回転処理後の画像データのファイル形式を変更し、そのファイル形式変更後のファイルを記憶部１２に保存する。なお、Ｓ２４０で変更されるファイル形式は、図２のスキャン設定画面５０にいてファイル形式選択画像５１で選択されたファイル形式である。
【００６８】
Ｓ２００で、読取画像データをまだ受信していない場合は、Ｓ２１０に進む。Ｓ２１０では、画像読取装置２０へ回転角情報を送信させる。Ｓ２２０では、画像読取装置２０から画像データを受信したか否か判断する。ここで受信する可能性がある画像データとしては、回転処理が行われていない状態の読取画像データ、及び、その読取画像データに対して回転処理が行われた処理後画像データがある。通常、Ｓ１３０で否定判定されてＳ１３０からＳ２２０に移行した場合は読取画像データが受信され、Ｓ２１０からＳ２２０に移行した場合は処理後画像データが受信される。
【００６９】
Ｓ２２０で画像データを受信した場合、Ｓ２３０で、画像データ受信処理を行う。Ｓ２３０の画像データ受信処理は、例えば、受信した画像データを記憶部１２に一時記憶させる処理を含む。
【００７０】
Ｓ２３０からＳ２４０に移行した場合、Ｓ２４０では、受信した画像データ、即ち読取画像データ又は処理後画像データに対し、前述の通り、ファイル形式を変更し、そのファイル形式変更後のファイルを記憶部１２に保存する。
【００７１】
（１−７）画像読取処理の説明
次に、画像読取装置２０の制御部２１が実行する画像読取処理について、図７のフローチャートを用いて説明する。画像読取装置２０の制御部２１は、起動後、記憶部２２に記憶されているスキャンプログラムを実行することにより画像読取処理を実行する。
【００７２】
画像読取装置２０の制御部２１は、図７の画像読取処理を開始すると、Ｓ３１０で、情報処理装置１０から送信されるスキャン指示及びスキャン設定情報を受信する。なお、スキャン指示及びスキャン設定情報が受信されない間は、Ｓ３１０で待機し、受信されるのを待つ。
【００７３】
Ｓ３２０では、受信したスキャン設定情報に含まれている両面設定情報に基づき、両面設定がオンにされているか否か判断する。両面設定がオンにされている場合は、Ｓ３３０で、両面スキャン時における初期読取ページ、即ち原稿１枚目の両面の計２ページをスキャンして、その初期読取ページの画像データである初期画像データを生成する。初期読取ページのスキャン後はＳ３５０に進む。
【００７４】
両面設定がオフにされている場合は、Ｓ３４０で、片面スキャン時における初期読取ページ、即ち原稿１枚目の表側１ページをスキャンし、その初期読取ページの画像データである初期画像データを生成して、Ｓ３５０に進む。なお、Ｓ３３０及びＳ３４０のいずれも、受信したスキャン設定情報に含まれている解像度情報、カラー設定情報及び原稿サイズ情報に基づいてスキャンを実行する。
【００７５】
Ｓ３５０では、受信したスキャン設定情報に含まれている回転設定情報に基づき、回転設定がオンにされているか否か判断する。回転設定がオフの場合はＳ３７０に進む。回転設定がオンの場合は、Ｓ３６０で、Ｓ３３０又はＳ３４０で生成した初期画像データを情報処理装置１０へ送信させる。Ｓ３６０の処理後はＳ３７０に進む。
【００７６】
Ｓ３７０では、既にスキャンした初期読取ページを除く他の原稿の画像、即ち２枚目以降の読取対象の原稿のスキャンを行う。そして、Ｓ３３０又はＳ３４０でスキャンした１枚目の原稿の画像を含む読取対象の全原稿の画像を示す読取画像データを生成する。
【００７７】
Ｓ３８０では、情報処理装置１０から回転角情報を受信したか否か判断する。具体的に、Ｓ３６０で初期画像データを送信した後からこのＳ３８０の判断タイミングまでの間に回転角情報を受信したか否かを判断する。回転角情報をまだ受信していない場合は、Ｓ４１０で、Ｓ３７０で生成した読取画像データを情報処理装置１０へ送信させる。なお、Ｓ３８０で回転角情報をまだ受信していない状況は、回転設定がオン及びオフのいずれの場合にも生じ得る。
【００７８】
Ｓ３８０で、回転角情報を受信した場合は、Ｓ３９０に進む。Ｓ３９０では、Ｓ３７０で生成した読取画像データに対し、受信した回転角情報に基づいて回転処理を実施し、その回転処理後の処理後画像データを生成する。回転処理は、具体的には、Ｓ３７０で生成した読取画像データが示す画像を、ページ毎に、回転角情報が示す回転角度分回転させる処理である。両面設定がオンにされている場合は、原稿の表面及び裏面それぞれ個別に回転処理を行う。Ｓ４００では、Ｓ３９０で生成された回転処理後の処理後画像データを情報処理装置１０へ送信させる。
【００７９】
（１−８）実施形態の効果
以上説明した実施形態によれば、以下の（１ａ）〜（１）の効果を奏する。
（１ａ）情報処理装置１０において、スキャン指示の送信後、原稿の全読み取り対象の画像データである読取画像データが受信される前に、回転角設定画面を表示させて初期読取ページの実際のスキャン結果を表示させることができる。そのため、ユーザは、初期読取ページのスキャン結果を見ることで、画像読取装置２０で生成される読取画像データの画像の向きを確かめることができる。
【００８０】
ユーザは、初期読取ページのスキャン結果の向きに応じて、意図する向きの画像が得られるように回転角度を指定することができる。回転角度を指定することで、画像読取装置２０から、その指定した回転角度分回転された画像の画像データである処理後画像データを取得することができる。これにより、ユーザは、原稿セット時に原稿のセット方向や原稿の内容を意識することなく、意図する向きの画像の画像データを容易に得ることができる。
【００８１】
（１ｂ）画像読取装置２０は、初期読取データの送信後も、継続して２枚目以降の原稿の読み取りを行う。つまり、スキャン開始後、スキャン動作を継続させながら回転角度を指定することができる。そのため、スキャンにかかる所要時間の増大を抑えつつ、意図する向きの画像の画像データを容易に得ることができる。
【００８２】
（１ｃ）画像読取装置２０に対し、原稿のスキャン方法として両面スキャン及び片面スキャンの何れかを指定することができる。そして、両面スキャンを指定した場合、回転角設定画面には、初期読取ページとして１枚目の原稿の両面の計２ページの画像が表示される。これにより、ユーザは、原稿の表面及び裏面それぞれの画像の向きを個別に確認することができる。さらに、ユーザは、原稿の表面の画像及び裏面の画像について個別に回転角度を指定することができる。これにより、例えば両面ともに回転させること、及び何れか片面のみ回転させることが可能となる。また、両面ともに回転させる場合においては、各面の回転角度を個別に指定することもできる。
【００８３】
（１ｄ）情報処理装置１０において、回転設定のオンオフ、即ち、回転処理を実行させるか否かを選択することができる。そのため、回転処理が不要の場合は回転設定をオフにすることで、回転角設定画面を表示させることなく画像データを得ることができる。
【００８４】
（１ｅ）回転角設定画面には、回転角度を指定させるための、回転角度毎の個別の選択画像が表示される。そのため、ユーザは、回転角度の指定を、回転角設定画面に表示された複数の選択画像の中から何れかを選択するという容易な操作にて行うことができる。
【００８５】
（１−９）特許請求の範囲の文言との対応関係
ここで、実施形態の文言と特許請求の範囲の文言との対応関係について説明する。
情報処理装置１０において、制御部１１は第２制御部に相当し、通信部１５は第２通信部に相当する。画像読取装置２０において、制御部２１は第１制御部に相当し、通信部２５は第１通信部に相当する。画像読取装置２０による図７の画像読取処理において、Ｓ３６０で初期画像データを送信させたタイミングから、Ｓ３７０による読取画像データの生成を経てＳ３８０の判断処理が行われるまでの時間が、既定時間の一例に相当する。両面設定情報は読取面情報の一例に相当する。図２の回転設定選択画像５６は選択画像の一例に相当する。図４の第１選択画像７１〜第４選択画像７４、及び図５の第１選択画像９１〜第８選択画像９８は、角度選択用画像の一例に相当する。画像読取装置２０へ送信される各種情報等のうち、スキャン指示は読取指示に相当し、回転設定がオンであることを示す回転設定情報は回転処理指示に相当する。
【００８６】
図６の読取制御処理において、Ｓ１００は第３表示処理及び第４表示処理に相当し、Ｓ１２０は第１送信処理に相当し、Ｓ１５０は初期受信処理に相当し、Ｓ１６０は第１表示処理及び第２表示処理に相当し、Ｓ１８０は経過後受信処理に相当し、Ｓ２１０は第２送信処理に相当し、Ｓ２３０は処理後受信処理及び非設定時受信処理に相当し、Ｓ２５０は画像回転処理に相当する。
【００８７】
図７の画像読取処理において、Ｓ３３０、Ｓ３４０、Ｓ３７０は読取処理に相当し、Ｓ３６０は初期送信処理に相当し、Ｓ３９０は回転処理に相当し、Ｓ４００は処理後送信処理に相当する。
【００８８】
［２．他の実施形態］
以上、本開示の実施形態について説明したが、本開示は上述の実施形態に限定されることなく、種々変形して実施することができる。
【００８９】
（２−１）回転角設定画面として、上記実施形態では図４及び図５を例示したが、回転角設定画面は他の構成であってもよい。回転角設定画面の他の例を、図８に示す。図８に示す回転角設定画面１００が、図４に示した回転角設定画面６０と異なるのは、回転角度を選択させるための各選択画像１１１〜１１４の内容、及び各選択画像１１１〜１１４に対応付けられている回転角度である。
【００９０】
図８の回転角設定画面１００では、初期読取ページのスキャン結果の縮小画像が、スキャン結果と同じ向きを含む異なる複数種類の向きで、複数表示される。第１選択画像１１１は、スキャン結果と同じ向きの縮小画像を含み、これを選択すると回転角度が０度に設定される。第２選択画像１１２は、スキャン結果を１８０度回転させた向きの縮小画像を含み、これを選択すると回転角度が１８０度に設定される。第３選択画像１１３は、スキャン結果を右９０度回転させた向きの縮小画像を含み、これを選択すると回転角度が右９０度に設定される。第４選択画像１１４は、スキャン結果を左９０度回転させた向きの縮小画像を含み、これを選択すると回転角度が左０度に設定される。
【００９１】
つまり、図８の回転角設定画面１００においては、意図する向きの縮小画像を選択することで、スキャン結果が、その選択した縮小画像と同じ向きに回転処理される。
（２−２）初期読取ページは、１枚目の原稿の片面又は両面に限定されない。原稿が複数枚ある場合は、２枚目以降のうちいずれか１枚を初期読取ページにしてもよい、全原稿のうちいずれか複数枚数を初期読取ページにしてもよい。
【００９２】
（２−３）図７の画像読取処理において、Ｓ３８０で回転角情報を受信していないと判断した場合、すぐにＳ４１０に進まず、一定時間待機して回転角情報の受信を待つようにしてもよい。そして、一定時間待機しても回転角情報が受信されなかった場合にＳ４１０に進むようにしてもよい。
【００９３】
（２−４）ファイル形式の変換を情報処理装置１０側で行うことは必須ではない。例えば、画像読取装置２０にてファイル形式の変換まで行い、その変換後のデータを情報処理装置１０へ送信する構成であってもよい。
【００９４】
（２−５）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００９５】
１…画像読取システム、１０…情報処理装置、１１，２１…制御部、１２，２２…記憶部、１３，２３…入力部、１４，２４…表示部、１５，２５…通信部、１７…読取制御プログラム、２０…画像読取装置、２６…画像読取部、３０，３８…原稿、３２…ＡＤＦ原稿トレイ、５０…スキャン設定画面、５５…読取面指定画像、５６…回転設定選択画像、５７…スキャンボタン、６０，８０，１００…回転角設定画面、６１…初期スキャン画像、６２，８２…ＯＫボタン、７１〜７４，９１〜９８，１１１〜１１４…選択画像。
【図１】
2018006970.tif 000003
【図２】
2018006970.tif 000004
【図３】
2018006970.tif 000005
【図４】
2018006970.tif 000006
【図５】
2018006970.tif 000007
【図６】
2018006970.tif 000008
【図７】
2018006970.tif 000009
【図８】
2018006970.tif 000010